(57)【特許請求の範囲】
【請求項１】
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、先端側に設けられたフックと、そのフックがスライド部材のスライド方向と交差する方向に変位可能な回転軸とを有し、前記スライド部材とフック部材との間には、スライド部材のスライドによってフック部材をその回転軸を中心に回動させる係合手段が設けられていることを特徴とする開閉蓋のロック装置。
【請求項２】
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、
前記フック部材の近くに配置された補助フック部材と、を備え、
補助フック部材は、先端側に設けられたフックと、そのフックがスライド部材のスライド方向と交差する方向に変位可能な回転軸とを有し、前記フック部材と補助フック部材との間には、スライド部材のスライドによってフック部材をその回転軸を中心に回動させる係合手段が設けられていることを特徴とする開閉蓋のロック装置。
【請求項３】
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、蓋の幅方向に間隔をおいて配置された一対のアームと、そのアームの先端に設けられたフックとを有し、前記両アームの相対する内側縁部どうしの間隔は、アームの先端側から基端側へ向かうにしたがって次第に狭く形成されていて、スライド部材が両アーム間に進入することで、両アームが弾性変形し、両フックがスライド部材のスライド方向と交差する方向へ変位することを特徴とする開閉蓋のロック装置。
【請求項４】
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、蓋の幅方向に間隔をおいて配置された一対のアームと、そのアームの先端に設けられたフックとを有し、前記両アームの相対する外側縁部どうしの間隔は、アームの基端側から先端側へ向かうにしたがって次第に広く形成されていて、スライド部材のスライド時に両アームの外側縁部に接触することで、両アームが弾性変形し、両フックがスライド部材のスライド方向と交差する方向へ変位することを特徴とする開閉蓋のロック装置。
【請求項５】
前記フックを複数備え、各フックは蓋の長手方向の両側に配置されていることを特徴とする請求項１〜４の何れかに記載の開閉蓋のロック装置。
【請求項６】
前記各フックは、蓋の長手方向に間隔をおいて配置されていることを特徴とする請求項１〜５の何れかに記載の開閉蓋のロック装置。
【発明の詳細な説明】
【技術分野】
【０００１】
本発明は、例えばデジタルカメラ等の電子機器における、電池やメモリカード等の収納部に装備されている開閉蓋のロック装置に関する。
【背景技術】
【０００２】
デジタルカメラには、電源としての電池や、外部メモリとしてのメモリカード等を収納する開閉蓋付きの電池収納部が設けられている。そして、この開閉蓋（電池蓋）とカメラ本体との間には、開閉蓋の閉じ位置において、その開閉蓋が不用意に開くのを防止する目的で、開閉蓋をカメラ本体側にロックするロック装置が装備されている。
【０００３】
特許文献１には、電池収納部を開閉する電池蓋のロック装置が記載されている。このロック装置は、電池蓋を支持するプレート状の支持部材を備えている。支持部材はヒンジ部を介してカメラ本体（電池収納部）に回動可能に支持されている。さらに、電池蓋は支持部材に対してその長手方向にスライド可能に装着されていて、電池蓋の自由端側にはカメラ本体側のフックに係合するフックが設けられている。
【０００４】
ここで、電池蓋を開ける場合には、電池蓋をその自由端側へスライドさせてフックどうしの係合を解除した後、ヒンジ部を中心に自由端側を回動させて開放状態にする。電池蓋をロックする場合には、電池蓋を閉じた状態でヒンジ部側へスライドさせることで電池蓋をロック状態にする。
【０００５】
特許文献２には、複合カメラの電池室を開閉するバッテリ蓋のロック装置が記載されている。このロック装置では、バッテリ蓋の内面側に設けたスライドフックを、バッテリ蓋の表面側からスライド操作するつまみ（操作部）を設けることで、バッテリ蓋の開閉操作を行いやすくしている。また、スライドフックをコイルバネによりフック（爪部材）側へ付勢することで、バッテリ蓋をロック状態に維持可能に構成している。
【特許文献１】特開２００５−２１６８１１号公報
【特許文献２】特開２０００−２６７１８６号公報
【発明の開示】
【発明が解決しようとする課題】
【０００６】
特許文献１に記載の電池蓋のロック装置では、電池蓋の自由端にフックが設けられているため、電池蓋の中間部分の反りや浮き上がり等が発生しやすく、外観を低下させる問題に加え、構造も複雑になる問題があった。特に、電池蓋がバネによって開方向へ付勢されている場合には、長期間に亘って電池蓋に負荷が掛かるため、反りや浮き上がりが発生しやすくなる。
【０００７】
特許文献２に記載のロック装置では、操作部としてのつまみを有するため、蓋の開閉操作を円滑に行える利点があるものの、カメラ本体の係合部に係合させるフックが蓋の先端側に配置されているため、蓋の形状によっては、蓋の中間部分の反りや浮き上がり等が発生しやすくなる問題がある。特に、薄型のデジタルカメラのように、蓋が細長い板状で、バネによって開方向へ付勢されている場合にはそうした問題が生じやすくなる。
【０００８】
よって、本発明の課題は、開閉蓋が細長い板状であっても反りや浮き上がりを防ぐことができる上に、比較的簡易な構造で実現することができ、操作性にも優れた開閉蓋のロック装置を提供することにある。
【課題を解決するための手段】
【０００９】
以上の課題を解決するため、請求項１に係る発明は、
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、先端側に設けられたフックと、そのフックがスライド部材のスライド方向と交差する方向に変位可能な回転軸とを有し、前記スライド部材とフック部材との間には、スライド部材のスライドによってフック部材をその回転軸を中心に回動させる係合手段が設けられていることを特徴とする。
請求項２に係る発明は、
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、
前記フック部材の近くに配置された補助フック部材と、を備え、
補助フック部材は、先端側に設けられたフックと、そのフックがスライド部材のスライド方向と交差する方向に変位可能な回転軸とを有し、前記フック部材と補助フック部材との間には、スライド部材のスライドによってフック部材をその回転軸を中心に回動させる係合手段が設けられていることを特徴とする。
請求項３に係る発明は、
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、蓋の幅方向に間隔をおいて配置された一対のアームと、そのアームの先端に設けられたフックとを有し、前記両アームの相対する内側縁部どうしの間隔は、アームの先端側から基端側へ向かうにしたがって次第に狭く形成されていて、スライド部材が両アーム間に進入することで、両アームが弾性変形し、両フックがスライド部材のスライド方向と交差する方向へ変位することを特徴とする。
請求項４に係る発明は、
本体に対し、ヒンジ部を介して開閉自在に設けられた蓋と、
蓋の長手方向に添ってスライド可能に設けられたスライド部材と、
スライド部材をスライド操作する操作部と、
スライド部材のスライド方向に対し交差する方向に変位して、本体に設けられた係合部に係脱するフックを有するフック部材と、
スライド部材とフック部材との間に設けられ、スライド部材をスライドさせることによってフックを変位させる変位機構と、を備え、
前記フック部材は、蓋の幅方向に間隔をおいて配置された一対のアームと、そのアームの先端に設けられたフックとを有し、前記両アームの相対する外側縁部どうしの間隔は、アームの基端側から先端側へ向かうにしたがって次第に広く形成されていて、スライド部材のスライド時に両アームの外側縁部に接触することで、両アームが弾性変形し、両フックがスライド部材のスライド方向と交差する方向へ変位することを特徴とする。
【００１０】
請求項５に係る発明は、請求項１〜４の何れかに記載の開閉蓋のロック装置において、前記フックを複数備え、各フックは蓋の長手方向の両側に配置されていることを特徴とする。
【００１１】
請求項６に係る発明は、請求項１〜５の何れかに記載の開閉蓋のロック装置において、前記各フックは、蓋の長手方向に間隔をおいて配置されていることを特徴とする。
【発明の効果】
【００１８】
本発明によれば、スライド部材のスライド方向に対し交差する方向に変位して、本体に設けられた係合部に係脱するフックを有するフック部材を備えているので、フックを開閉蓋の長手方向の中央寄りに配置することが可能になる。これにより、開閉蓋が細長い板状であっても反りや浮き上がりを防ぐことができる上に、比較的簡易な構造で実現することができ、またスライド部材は操作部を備えているので、開閉操作性にも優れた構造とすることができる。
【発明を実施するための最良の形態】
【００１９】
以下、図を参照して本発明を実施するための最良の形態を詳細に説明する。
（実施形態１）
図１及び図２は、本発明に係る開閉蓋のロック装置を装備したデジタルカメラの全体斜視図である。図３は開閉蓋を開けた状態のデジタルカメラの全体斜視図である。図４はカメラ本体の一部を構成する支持枠と開閉蓋との関係を示す斜視図である。図５は開閉蓋の分解斜視図である。
【００２０】
これらの図に示すように、デジタルカメラ１は、平面視で概略矩形状に形成されるカメラ本体（以下、本体という）１０を備えている。本体１０には、片面側に撮像レンズ２が設けられ、他の片面側には液晶ディスプレイ３が設けられている。本体１０の底面側には、電池５やメモリカード６を収納する収納部７と、その収納部７を開閉する開閉蓋（以下単に蓋と呼ぶ）２０が設けられている。本体１０の底面側には三脚用の取付部４が設けられている。ここでは特に説明しないが、本体１０にはデジタルカメラに必要な機能や機構、各種操作ボタン等が設けられている。
【００２１】
この実施形態に係るロック装置は、本体１０に対し、ヒンジ部８を介して開閉自在に設けられた蓋２０と、蓋２０の長手方向に添ってスライド可能に設けられたスライド部材２２と、スライド部材２２をスライド操作する操作部２２１と、スライド部材２２のスライド方向に対し交差する方向に変位して、本体１０に設けられた係合部３３に係脱する爪状のフック２３ｆを有するフック部材２３と、スライド部材２２とフック部材２３との間に設けられ、スライド部材２２をスライドさせることによってフック２３ｆを変位させる変位機構Ｆとを備えている。次いで、これらの詳細について説明する。
【００２２】
蓋２０は、図４に示すように、本体１０の主要枠部材の一部を構成する支持枠３０に対し、ヒンジピン（ヒンジ部）８を介して開閉自在に連結されている。従って、支持枠３０には、収納部７のための開口部３１や三脚用の取付部４等が形成されている。開口部３１の両側壁３２、３２の部分には、フック部材２３のフック２３ｆが係脱する係合部３３、３３が設けられている。各係合部３３は正面から見て矩形状の横孔として形成されている。
【００２３】
但し、本体１０にはその表面を形成するカバーケース１０ａが設けられるため、各係合部３３は実質的には凹部として形成される。各係合部３３、３３は両側壁３２、３２の長さ方向に間隔をおいて二カ所、合計四カ所設けられている。従って、各係合部３３、３３は、蓋２０の閉じ位置において蓋２０の長さ方向の中央部寄りになるように配置されている。係合部３３の数はフック２３ｆとの関係で決定される。
【００２４】
蓋２０は、図５に示すように、蓋本体２１と、スライド部材２２と、一対のフック部材２３、２３と、押さえ部材２４とを備えている。蓋本体２１は一端側にピン８が挿入されるピン孔２１１を有している。ピン８部分には蓋本体２１を開方向へ付勢するコイルバネ９が装着されている。蓋本体２１の他端側になる自由端２１２の部分は、支持枠３０の湾曲部３４に対応するように湾曲形成されている。
【００２５】
蓋本体２１の一端と他端の間の部分は細長い板状（帯板状）に形成されていて、その内面側にスライド部材２２を組み付けるための長孔（組み付け部）２１３が設けられている。蓋本体２１の内面側における長孔２１３の両側には、一対のフック部材２３、２３を蓋本体２１の幅方向にスライド可能に組み付けるための平坦面２１４、２１４がそれぞれ設けられている。
【００２６】
平坦面２１４、２１４の外側、即ち、蓋本体２１の内面の幅方向の両側には押さえ部材２４を蓋本体２１へ装着する際に利用する複数の突起２１５及び係止溝２１７がそれぞれ設けられている。また、蓋本体２１の内面には、フック部材２３、２３の両端面２３１、２３１を蓋本体２１の幅方向へ案内するガイド面２１６、２１６が蓋本体２１の長手方向に間隔をおいて対向配置されている。
【００２７】
フック部材２３、２３は、スライド部材２２の両側に設けられ、各フック部材２３はスライド部材２２のスライド方向に長く（蓋本体の長手方向に長く）形成されている。そして、各フック部材２３にはその長手方向に間隔をおいて（両端部に）フック２３ｆ、２３ｆがそれぞれ設けられている。各フック２３ｆは、いずれも蓋本体２１の幅方向へ、即ち、蓋本体２１の側方へ向いている。
【００２８】
スライド部材２２は長孔２１３を貫通して蓋本体２１の表面側へ露呈するつまみ（操作部）２２１を備え、長孔２１３に沿って一定の範囲で蓋本体２１の長手方向にスライド可能に設けられている。そして、このスライド部材２２と、フック部材２３、２３との間には、スライド部材２２をスライドさせることによってフック２３ｆを係合部３３に係脱する方向へ変位させる変位機構Ｆが設けられている。
【００２９】
本実施形態の変位機構Ｆは、両フック部材２３、２３の相対する側面にそれぞれ形成された一対の傾斜ガイド部２３２、２３２と、スライド部材２２に設けられて一対の傾斜ガイド部２３２、２３２に添って移動可能な一対の傾斜突片２２２、２２２とを備えている。さらに、一対の傾斜ガイド部２３２はフック部材２３の長手方向に向かうにしたがって蓋本体２１の幅方向へ延びる傾斜構造（図示例では４５度前後）であり、一対の傾斜突片２２２は、スライド部材２２の一方向（Ａ方向）へのスライドによって両フック部材２３，２３を互いに接近させ、他方向（Ｂ方向）へのスライドによって両フック部材２３、２３を互いに離間させる構成である。したがって、一対の傾斜突片２２２も傾斜ガイド部２３２の傾斜角度に対応している。
【００３０】
押さえ部材２４は薄い金属板により形成されていて、その長手方向の両側（幅方向の両端）には、蓋本体２１の長手方向の両側に形成した係止溝２１７，２１７に係止させる係止片２４１、２４１が設けられている。また、この押さえ部材２４には、蓋本体２１のセンターリブ２１８、位置決めリブ２１９にそれぞれ嵌まり込むスリット２４２、２４３が形成されている。さらに、押さえ部材２４の中央部分には、二つの切り起こしバネ２４４、２４５が設けられている。
【００３１】
切り起こしバネ２４４はスライド部材２２を押さえ付ける形態で付勢し、切り起こしバネ２４５は蓋本体２１の内面の支持面２１ａに接触することで、押さえ部材２４自体をガタツキ無く保持する機能を発揮する。なお、スライド部材２２において切り起こしバネ２４４が接触する部分には、スライド部材２２のスライド方向に伸びる長溝２２３が形成されており、スライド部材２２のスライド時に、切り起こしバネ２４４が長溝２２３内をスライドするようになっている。また、長溝２２３内には突条部２２４が設けられ、スライド部材２２のスライド操作無しにスライド部材２２がスライドして、フック部材２３のフック２３ｆが蓋本体２１の側面から突出したり、蓋本体２１に収納されたりすることが無いようになっている。また、スライド部材２２の操作部２２１の表面には、図６及び図９に示すように、滑り止めとしての複数の隆起２２５が設けられている。
【００３２】
このような構成のロック装置では、操作部２２１が図７に示すオープン位置にあるとき、即ち、スライド部材２２を矢印Ａ方向にスライドさせた状態では、一対の傾斜突片２２２、２２２が、一対の傾斜ガイド部２３２、２３２内に進入して、フック部材２３、２３を互いに接近させた状態にある。従って、両フック部材２３のフック２３ｆは係合部３３から外れ、バネ９の付勢力によって蓋２０は開放状態になる。
【００３３】
操作部２２１が図８に示すロック位置にあるとき、即ち、スライド部材２２を矢印Ｂ方向にスライドさせた状態では、一対の傾斜突片２２２、２２２が、一対の傾斜ガイド部２３２、２３２内から抜け出す方向へ移動して、フック部材２３、２３を互いに離間させる状態に移行する。従って、両フック部材２３のフック２３ｆは、図８及び図９に示すように蓋本体２１の側面から突出し、図６に示すように係合部３３内へそれぞれ進入して係合する。これにより蓋２０はロック状態に保持される。
【００３４】
この実施形態によれば、スライド部材２２のスライド方向に対し交差する方向（蓋本体２１の幅方向）に変位して、本体１０に設けられた係合部３３に係脱する複数のフック２３ｆを有するフック部材２３、２３を備えているので、各フック２３ｆを蓋２０の長手方向の中央寄りに配置することが可能になる。これにより、蓋２０が細長い板状であっても反りや浮き上がりを防ぐことができる上に、このように比較的簡易な構造で実現することができ、またスライド部材２２は蓋２０の表面側から操作する操作部２２１を備えているので、開閉操作性にも優れた構造とすることができる。
【００３５】
（実施形態２）
図１０は、本発明に係るロック装置の実施形態２を示す要部の平面図である。この実施形態２では、スライド部材２２の両側にフック部材２３、２３を配置すると共に、フック部材２３を軸２３ａを中心に回動可能に構成し、スライド部材２２のスライドによってフック２３ｆが、スライド部材２２のスライド方向と交差する方向に変位する構成としたものである。これによりフック２３ｆを蓋２０の側方から出没させて、係合部３３に係脱させることができる。
【００３６】
即ち、この実施形態のフック部材２３は、先端側に設けられたフック２３ｆと、そのフック２３ｆがスライド部材２２のスライド方向と交差する方向に変位可能な回転軸２３ａとを有し、スライド部材２２とフック部材２３との間には、スライド部材２２のスライドによってフック部材２３をその回転軸２３ａを中心に回動させる係合手段（変位機構Ｆ）が設けられている。
【００３７】
変位機構Ｆの具体的構成として、この実施形態２では、スライド部材２２の両側に設けられた凸部２２ａ、２２ａと、フック部材２３、２３に設けられて凸部２２ａ、２２ａがそれぞれ係合する凹部２３ｂ、２３ｂとを備えている。凹部２３ｂはフック部材２３の基端部側に設けられ、フック部材２３の自由端側に蓋２０の側方へ向いたフック２３ｆが設けられている。軸２３ａは凹部２３ｂ寄りに設けられている。
【００３８】
この実施形態２によれば、スライド部材２２のスライド方向に対し交差する方向（蓋本体２１の幅方向）に変位して、本体１０に設けられた係合部３３に係脱するフック２３ｆを有するフック部材２３、２３を備えているので、フック２３ｆを蓋２０の長手方向の中央寄りに配置することが可能になる。これにより、蓋２０が細長い板状であっても反りや浮き上がりを防ぐことができる上に、このように比較的簡易な構造で実現することができる。
【００３９】
なお、この実施形態では、スライド部材２２の両側に一対のフック部材２３、２３を配置した例を示したが、フック部材２３を片側にのみ配置した構成としても良い。その場合には、フック２３ｆが蓋２０の長手方向の中央（中間）部又は中央寄りに配置することが望ましい。
【００４０】
（実施形態３）
図１１は、本発明に係るロック装置の実施形態３を示す要部の平面図である。この実施形態３では、先の実施形態２におけるスライド部材２２の両側に配置したフック部材２３、２３に加えて、更に補助フック部材２５、２５を追加した構成としたものである。従って、フック２３ｆは実施形態１の場合と同様に、蓋２０の両側に二つずつ、合計四つ配置される。なお、図１０と基本的に同一の構成要素については同一の符号を付してその説明を簡略化する。
【００４１】
即ち、この実施形態では、フック部材２３の近くに配置された補助フック部材２５を更に備え、補助フック部材２５は、先端側に設けられたフック２５ｆと、そのフック２５ｆがスライド部材２２のスライド方向と交差する方向に変位可能な回転軸２５ａとを有し、フック部材２３と補助フック部材２５との間には、フック部材２３の回動によってフック部材２５をその回転軸２５ａを中心に回動させる係合手段（変位機構）が設けられている。
【００４２】
変位機構Ｆの具体的構成として、この実施形態３では、スライド部材２２の両側に設けられた凸部２２ａ、２２ａと、フック部材２３、２３に設けられて凸部２２ａ、２２ａがそれぞれ係合する凹部２３ｂ、２３ｂとを備えている。さらに、追加の構成として、フック部材２３の基端部に端部突起２３ｃが設けられ、軸２５ａを中心に回動可能な補助フック部材２５、２５に、端部突起２３ｃに係合する凹部２５ｂがそれぞれ設けられている。凹部２５ｂは補助フック部材２５の基端部側に設けられ、補助フック部材２５の自由端側に蓋２０の側方へ向いたフック２５ｆが設けられている。回転軸２５ａは凹部２５ｂ寄りに設けられている。
【００４３】
この実施形態３によれば、スライド部材２２をスライドさせると、各フック２３ｆ、２５ｆが矢印方向（スライド部材のスライド方向と交差する方向）に変位する。これにより四つのフック２３ｆ、２５ｆを蓋２０の側方から出没させて、係合部３３に係脱させることができる。
【００４４】
なお、この実施形態においても、スライド部材２２の両側に二対のフック部材２３、２３及び補助フック部材２５、２５を配置した例を示したが、フック部材２３、２５を片側にのみ配置した構成としても良い。その場合には、構成の簡素化を図ることができる。
【００４５】
（実施形態４）
図１２は、本発明に係るロック装置の実施形態４を示す要部の平面図である。この実施形態４では、左右対称に配置された一対のアーム２６ｂ、２６ｂと、そのアーム２６ｂ、２６ｂの先端に設けられたフック２６ｆ、２６ｆと、を有するフック部材２６と、先端部を先細りの曲面２２ｃに形成したスライド部材２２とを備えている。両アーム２６ｂの基端部は一体に形成されると共に、蓋本体２１に対して軸２６ａにて連結されている。
【００４６】
フック部材２６は、両アーム２６ｂ、２６ｂ部分が弾性変形可能な樹脂材料により形成されている。両アーム２６ｂ、２６ｂどうしの相対する内側縁部２６ｃ、２６ｃは、アーム２６ｂの先端側から基端側へ向かうにしたがって両アーム２６ｂの間隔が次第に狭くなるように形成されていて、スライド部材２２がＡ方向にスライドして、両アーム２６ｂ、２６ｂ間に進入することで、両アーム２６ｂ、２６ｂが弾性変形し、フック２６ｆが矢印で示すように、スライド部材２２のスライド方向と交差する方向へ変位する。これによりフック２６ｆを蓋２０の側方から出没させて、係合部３３に係脱させることができる。
【００４７】
この実施形態での変位機構Ｆは、両アーム２６ｂ、２６ｂと、両アーム２６ｂ、２６ｂの対向する内側縁部２６ｃ、２６ｃと、スライド部材２２の先細りの曲面２２ｃと、を含む。この実施形態によれば、変位機構Ｆを含むロック装置の構成を更に簡素化することができる。
【００４８】
（実施形態５）
図１３は、本発明に係るロック装置の実施形態５を示す要部の平面図である。この実施形態５では、フック部材２７のアーム２７ｆ、２７ｆが互いに接近する方向に弾性変形させる構成としたものである。即ち、このロック装置は、左右対称に配置された一対のアーム２７ｂ、２７ｂと、そのアーム２７ｂ、２７ｂの先端に設けられたフック２７ｆ、２７ｆと、を有するフック部材２７と、先端部を先拡がりの凹面２２ｄに形成したスライド部材２２とを備えている。両アーム２７ｂの基端部は一体に形成されると共に、蓋本体２１に対して軸２７ａにて連結されている。
【００４９】
フック部材２７は、両アーム２７ｂ、２７ｂ部分が弾性変形可能な樹脂材料により形成されている。両アーム２７ｂ、２７ｂの外側縁部２７ｃ、２７ｃどうしの間隔は、アーム２７ｂの基端側から先端側へ向かうにしたがって次第に広くなるように形成されていて、スライド部材２２がＡ方向にスライドして、両アーム２７ｂ、２７ｂを外側から拘束（接触）するようにスライドすることで、両アーム２７ｂ、２７ｂが弾性変形し、フック２７ｆが矢印で示すように、スライド部材２２のスライド方向と交差する方向へ変位する。これによりフック２７ｆを蓋２０の側方から出没させて、係合部３３に係脱させることができる。
【００５０】
なお、この実施形態のフック部材２７は、図示のようにスライド部材２２がフック部材２７から離れ、両アーム２７ｃに変形が加えられていない状態において、フック２７ｆが係合部３３に係合するように設定される。また、この実施形態での変位機構Ｆは、両アーム２７ｂ、２７ｂと、両アーム２７ｂ、２７ｂの対向する外側縁部２７ｃ、２７ｃと、スライド部材２２の先拡がりの凹面２２ｄと、を含む。この実施形態においても、変位機構Ｆを含むロック装置の構成を更に簡素化することができる。
【００５１】
なお、以上の実施形態では、本発明をデジタルカメラの開閉蓋に適用した例を示したが、ＰＤＦやノートパソコン等の開閉蓋を有する他の電子機器にも適用することができる。
【図面の簡単な説明】
【００５２】
【図１】本発明の実施形態１の構成を示す斜視図。
【図２】本発明の実施形態１の構成を示す斜視図。
【図３】本発明の実施形態１の構成（蓋の閉状態）を示す斜視図。
【図４】本発明の実施形態１の構成（蓋と支持枠との関係）を示す部分斜視図。
【図５】本発明の実施形態１の構成を示す蓋の分解斜視図。
【図６】本発明の実施形態１の構成（蓋を表面側）を示す斜視図である。
【図７】本発明の実施形態１に係るロック装置の動作を説明する斜視図。
【図８】本発明の実施形態１に係るロック装置の動作を説明する斜視図。
【図９】本発明の実施形態１の構成（蓋を表面側）を示す斜視図。
【図１０】本発明の実施形態２に係るロック装置の構成を示す概略平面図。
【図１１】本発明の実施形態３に係るロック装置の構成を示す概略平面図。
【図１２】本発明の実施形態４に係るロック装置の構成を示す概略平面図。
【図１３】本発明の実施形態５に係るロック装置の構成を示す概略平面図。
【符号の説明】
【００５３】
１  デジタルカメラ
５  電池
６  メモリカード
７  収納部
８  ヒンジ部
９  コイルバネ
１０  本体
２０  蓋
２１  蓋本体
２２  スライド部材
２２２  操作部
２３ａ、２５ａ  回転軸
２３、２５、２６、２７  フック部材
２３ｆ、２５ｆ、２６ｆ、２７ｆ  フック
２４  押さえ部材
２６ｂ、２７ｂ  アーム
２６ｃ  内側縁部
２７ｃ  外側縁部
３０  支持枠
Ｆ  変位機構
【図１】
0005082840.tif 000002
【図２】
0005082840.tif 000003
【図３】
0005082840.tif 000004
【図４】
0005082840.tif 000005
【図５】
0005082840.tif 000006
【図６】
0005082840.tif 000007
【図７】
0005082840.tif 000008
【図８】
0005082840.tif 000009
【図９】
0005082840.tif 000010
【図１０】
0005082840.tif 000011
【図１１】
0005082840.tif 000012
【図１２】
0005082840.tif 000013
【図１３】
0005082840.tif 000014